(57)【要約】【課題】  取り付けが容易な簡単な構成を備えると共に、投函口の開口面積を狭めることなく冷気の流入を抑制し、且つ断熱機能を効果的に発揮できる壁設置型断熱ポストを提供する。【解決手段】  断熱壁１１に設置される壁設置型断熱ポスト１０であって、断熱プレート１２を用いて形成され、断熱壁１１を貫通して設けられた投函口用貫通穴１３に嵌着される矩形筒状の壁側箱体１４と、断熱プレート１２を用いて形成され、壁側箱体１４の端部１４ａを嵌め込む矩形接合開口１５及び投函物の取出し開口１６ａ，１６ｂを備える六面体形状の屋内側箱体１７とからなり、矩形接合開口１５の開口縁部には断熱気密パッキン１８が延設しており、投函口用貫通穴１３に嵌着した壁側箱体１４の端部１４ａを屋内側に突出させ、該端部１４ａを矩形接合開口１５に嵌め込んだ状態で屋内側箱体１４を断熱壁１１に取り付けることによって構成される。【選択図】    図２
2006181182.tif 000002
【特許請求の範囲】
【請求項１】
断熱壁に設置される壁設置型断熱ポストであって、
断熱プレートを用いて形成され、断熱壁を貫通して設けられた投函口用貫通穴に嵌着される矩形筒状の壁側箱体と、断熱プレートを用いて形成され、前記壁側箱体の端部を嵌め込む矩形接合開口及び投函物の取出し開口を備える六面体形状の屋内側箱体とからなり、
前記矩形接合開口の開口縁部には断熱気密パッキンが延設しており、前記投函口用貫通穴に嵌着した前記壁側箱体の端部を屋内側に突出させ、該端部を前記矩形接合開口に嵌め込んだ状態で前記屋内側箱体を前記断熱壁に取り付けてなる壁設置型断熱ポスト。
【請求項２】
前記屋内側箱体の前記取出し開口は、断熱複層ガラスによってスライド開閉可能に覆われている請求項１記載の壁設置型断熱ポスト。
【請求項３】
前記屋内側箱体の底部には、水抜き開口が開閉可能に設けられている請求項１又は２に記載の壁設置型断熱ポスト。
【請求項４】
前記屋内側箱体の前記取出し開口は、前記屋内側箱体の背面板及び両側の側面板に各々設けられている請求項１〜３のいずれかに記載の壁設置型断熱ポスト。
【請求項５】
前記屋内側箱体は、玄関収納の内部に配置された状態で取り付けられる請求項１〜４のいずれかに記載の壁設置型断熱ポスト。
【発明の詳細な説明】
【技術分野】
【０００１】
本発明は、壁設置型断熱ポストに関し、特に寒冷地の家屋の断熱壁に設置される壁設置型断熱ポストに関する。
【背景技術】
【０００２】
従来より、門扉や塀、家屋の玄関扉等に設けられるポストの他、家屋の外壁を貫通して埋込むように取り付けられた壁設置型のポストが知られている。この壁設置型のポストによれば、屋内から直接に郵便物や新聞等を取り出すことができることから、生活上の利便性に優れると共に、特に寒冷地においては、冬期の厳しい寒さの時に屋外に出ることなく郵便物等を手にすることが可能になる。
【０００３】
また、寒冷地に設けられる壁設置型のポストの場合、屋外と屋内がポストの投函口等を介して連通することになるため、屋外の冷気の屋内への流入や、屋内の暖気の流出を効果的に遮断する必要があり、このような冷気の流入や暖気の流出を防止する機能を備えた壁設置型のポストも種々開発されている（例えば、特許文献１、特許文献２参照）。
【特許文献１】実開平５−５７１９５号公報
【特許文献２】特開平１０−６５7２２8号公報
【発明の開示】
【発明が解決しようとする課題】
【０００４】
特許文献１の住宅用ポストや、特許文献２の家屋埋込み型サインポストによれば、壁を貫通する部分に設けられた投函口の途中に、回転によって配布物を挟み込みつつ屋内側に導入させる複数の可動ローラーや、バネ機構により閉じる方向に付勢された断熱性の内扉等を配設したものであるため、投函口の構成が複雑になると共に、これらのローラーや内扉等の存在によって、投函口の開口面積が却って狭められることになる。また、投函口を経て屋内側に投入される郵便物等の形状や大きさによっては、投函口を通過し難くなり、投函口の途中に引っかかって内扉等を開けっ放しの状態にしてしまう場合もある。
【０００５】
本発明は、このような従来の課題に着目してなされたものであり、取り付けが容易な簡単な構成を備えると共に、投函口の開口面積を狭めることなく冷気の流入や暖気の流出を抑制し、且つ断熱機能を効果的に発揮することのできる壁設置型断熱ポストを提供することを目的とする。
【課題を解決するための手段】
【０００６】
本発明は、断熱壁に設置される壁設置型断熱ポストであって、断熱プレートを用いて形成され、断熱壁を貫通して設けられた投函口用貫通穴に嵌着される矩形筒状の壁側箱体と、断熱プレートを用いて形成され、前記壁側箱体の端部を嵌め込む矩形接合開口及び投函物の取出し開口を備える六面体形状の屋内側箱体とからなり、前記矩形接合開口の開口縁部には断熱気密パッキンが延設しており、前記投函口用貫通穴に嵌着した前記壁側箱体の端部を屋内側に突出させ、該端部を前記矩形接合開口に嵌め込んだ状態で前記屋内側箱体を前記断熱壁に取り付けてなる壁設置型断熱ポストを提供することにより、上記目的を達成したものである。
【０００７】
そして、本発明の壁設置型断熱ポストは、前記屋内側箱体の前記取出し開口が、断熱複層ガラスによってスライド開閉可能に覆われていることが好ましい。
【０００８】
また、本発明の壁設置型断熱ポストは、前記屋内側箱体の底部に水抜き開口が開閉可能に設けられていることが好ましい。
【０００９】
さらに、本発明の壁設置型断熱ポストは、前記屋内側箱体の前記取出し開口が、前記屋内側箱体の背面板及び両側の側面板に各々設けられていることが好ましい。
【００１０】
そして、本発明の壁設置型断熱ポストは、前記屋内側箱体が、玄関収納の内部に配置された状態で取り付けられることが好ましい。
【発明の効果】
【００１１】
本発明の壁設置型断熱ポストによれば、取り付けが容易な簡単な構成を備えると共に、投函口の開口面積を狭めることなく冷気の流入や暖気の流出を抑制し、且つ断熱機能を効果的に発揮することができる。
【発明を実施するための最良の形態】
【００１２】
図１（ａ）及び図２に示す本発明の好ましい一実施形態に係る壁設置型断熱ポスト１０は、例えば寒冷地における木造住宅建築物の玄関部分の外壁を構成する断熱壁１１に取り付けて用いられ、断熱壁１１と連続する断熱プレート１２によって囲まれる凹部を、屋内側に窪ませて設けることによりポスト１０を形成して、当該ポスト１０を断熱壁１１の一部としても機能させるといった新規な発想に基づいて開発されたものである。
【００１３】
そして、本実施形態の壁設置型断熱ポスト１０は、断熱壁１１に設置されるポストであって、断熱プレート１２を用いて形成され、断熱壁１１を貫通して設けられた投函口用貫通穴１３に嵌着される矩形筒状の壁側箱体１４と、同じく断熱プレート１２を用いて形成され、壁側箱体１４の端部１４ａを嵌め込む矩形接合開口１５及び投函物の取出し開口１６ａ，１６ｂを備える六面体形状の屋内側箱体１７とからなり、矩形接合開口１５の開口縁部には断熱気密パッキン１８が延設しており、投函口用貫通穴１３に嵌着した壁側箱体１４の端部１４ａを屋内側に突出させ、この端部１４ａを矩形接合開口１５に嵌め込んだ状態で屋内側箱体１７を断熱壁１１に取り付けることによって構成される。
【００１４】
本実施形態によれば、断熱ポスト１０が設置される断熱壁１１は、上述のように、木造住宅建築物の玄関部分の外壁を構成する壁部材であって、例えば表裏一対の耐力面材１９，１９の間にグラスウール等からなる断熱材２０を挟み込んだ断熱壁パネル２１からなり、この断熱壁パネル２１の屋外側には、通気層２２を介在させてサイディングボード等からなる外壁仕上げ材２３が取り付けられている。また断熱壁パネル２１の屋内側には、内装仕上げシート等が適宜取り付けられている。さらに、この断熱壁１１には、例えば郵便物等を投函するのに適した適宜の高さ位置に、屋外側の外壁仕上げ材２３から屋内側に至るように貫通させて、例えば幅２５０〜３５０ｍｍ、高さ８０〜２００ｍｍ程度の大きさの矩形断面形状の投函口用貫通穴１３が形成されており、この投函口用貫通穴１３に、断熱ポスト１０の壁側箱体１４が嵌め込まれるようにして嵌着されることになる。
【００１５】
壁側箱体１４は、断熱プレート１２に折り曲げ加工や接合加工等を施すことにより、投函口用貫通穴１３にぴったりと嵌め込むことが可能な例えば幅２５０〜３５０ｍｍ、高さ８０〜２００ｍｍ程度の大きさの矩形の外周断面形状を備える中空筒状に形成されると共に、その屋外側の端面を断熱壁１１の外壁仕上げ材２３による表面に沿わせるように取り付けた際に、屋内側の端部１４ａが耐力面材１９の内側に例えば３０〜１００ｍｍ程度突出する長さで形成されることになる。また壁側箱体１４の屋外側の端部１４ｂには、先端開口を開閉可能に覆うようにして、断熱プレート１２からなる投函口開閉蓋２４が、当該先端開口の上縁内側部分にヒンジ結合されて回転可能に設けられており、当該先端開口の下縁内側部分には、投函口開閉蓋２４の内側への回動を規制するストッパー２５が、両端部に設けられている。さらに、投函口開閉蓋２４には、屋外側からの開閉を容易にする取っ手２４ａが設けられていると共に、先端開口の上縁の上方部分には、当該上縁の上方部分に沿って、外壁仕上げ材２３から屋外側に突出して配置される三角形断面形状の庇部２６が一体接合されている。そして、投函口用貫通穴１３に壁側箱体１４が嵌着された際に屋内側に突出する壁側箱体１４の端部１４ａには、屋内側箱体１７の矩形接合開口１５が嵌め込まれることになる。
【００１６】
ここで、壁側箱体１４、投函口開閉蓋２４、及び後述する屋内側箱体１７を構成する断熱プレート１２としては、断熱機能に優れたプレート部材として知られる各種の公知のプレート部材を用いることができるが、好ましくは、例えば一対の金属プレートや合成樹脂プレートの間に断熱材をハニカム状に挟み込んだ厚さが７〜１５ｍｍ程度の断熱プレート１２や、金属プレートや合成樹脂プレートに発泡スチロール等の板状の断熱材を貼り付けた厚さが１０〜２０ｍｍ程度の断熱プレート等を用いることができる。
【００１７】
屋内側箱体１７は、断熱プレート１２に折り曲げ加工や接合加工等を施すことにより、例えば幅１５０〜３００ｍｍ、高さ３５０〜５００ｍｍ、奥行き３００〜３８０ｍｍ程度の大きさの、６面体形状の中空箱型に形成されることになる。また、屋内側箱体１７の前面板１７ａには、これの上部に矩形接合開口１５が開口形成されており、背面板１７ｂ及び両側の一対の側面板１７ｃには、図３にも示すように、これらの下部に矩形形状の取出し開口１６ａ，１６ｂが各々開口形成されている。なお、背面板１７ｂ及び一対の側面板１７ｃに各々取出し開口１６ａ，１６ｂが形成されていることにより、例えば取出し開口１６ａ，１６ｂの一部が屋内の壁面に近接する位置に取り付けられることにより取出し開口としての機能が発揮できなくても、投函された郵便物等を他の取出し開口１６ａ，１６ｂから取り出すことが可能になり、断熱ポスト１０の設置位置の自由度が向上することになる。
【００１８】
屋内側箱体１７の矩形接合開口１５の開口縁部から延設する断熱気密パッキン１８は、図１（ｂ）に示すように、屋内側箱体１７を構成する断熱プレート１２の両面に取り付けられた例えばゴム製の一対の弾性可撓板２８からなり、これらを壁側箱体１４の端部１４ａの外周面に密着させることによって気密性を保持すると共に、これらの間に空気層２９が形成されることにより、断熱機能を発揮する。
【００１９】
また、本実施形態によれば、屋内側箱体１７の３箇所の取出し開口１６ａ，１６ｂには、各々断熱複層ガラス２７が、公知のスライド係止手段を介して、背面板１７ｂや側面板１７ｃの裏面に沿って上下にスライド移動可能に設けられており、これらの断熱複層ガラス２７によって、取出し開口１６ａ，１６ｂを開閉可能に覆っている。断熱複層ガラス２７は、表裏一対の透明な板ガラスの間に空気層を保持していることにより、断熱機能を発揮すると共に、閉塞状態においても内部の郵送物等を視認することを可能にする。また、断熱複層ガラス２７の開閉操作を行うための取っ手２７ａは、背面板１７ｂや側面板１７ｃの外側面から突出することなく、断熱プレート１２の厚さの範囲内で突出しており（図１（ａ）参照）、これによって玄関収納等の内壁に接して配置することが可能になる。
【００２０】
さらに、本実施形態によれば、屋内側箱体１７の底面板１７ｄの上方を覆うようにして、背面板１７ｂの取出し開口１６ａの下方からから内側に下り勾配で張り出すように延設する水切りプレート３０が、側縁部を背面板１７ｂや側面板１７ｃに接合して設けられている。また屋内側箱体１７の底面板１７ｄには、背面板１７ｂ及び側面板１７ｃに沿ったコの字形状の帯状部分の断熱プレート１２を、例えばプレス加工を施して凹ませることにより、排水溝３１が形成されている（図３参照）。さらに、排水溝３１の背面板１７ｂに沿った部分の両端部には、側面板１７ｃを貫通するようにして水抜き開口３２が屋内側箱体１７の底部に位置して形成されており、この水抜き開口３２には、水抜き栓３３が着脱開閉可能に装着されている。これらの水切りプレート３０及び排水溝３１によって、断熱ポスト１０の内部に生じた結露水や、投函された郵便物等に付着した雪から溶けた水等を屋内側箱体１７の底部に効率良く集積して、水抜き開口３２を介して適宜容易に排除することが可能になる。
【００２１】
上述の構成を備える本実施形の壁設置型断熱ポスト１０は、図１（ａ）及び図２に示すように、断熱壁１１を貫通して設けられた投函口用貫通穴１３に壁側箱体１４を嵌着した後、屋内側に突出する壁側箱体１４の端部１４ａを矩形接合開口１５に嵌め込んだ状態で、例えば前面板１７ａの上縁部や下縁部から上方又は下方に突出して設けられた固定用リブ３４のビス孔３４ａを介して、断熱壁１１に向けて固定ビス３５をネジ込んで屋内側箱体１７を断熱壁１１に固定することにより、所望の高さ位置に容易かつ迅速に取り付ることができる。
【００２２】
すなわち、本実施形態の壁設置型断熱ポスト１０によれば、取り付けが容易な簡単な構成を備えていると共に、断熱壁１１と連続して設けられた断熱性を備える断熱プレート１２等によって囲まれて、断熱壁１１の一部として屋内側に窪ませて形成された当該断熱ポスト１０によって、投函口の開口面積を狭めることなく冷気の流入や暖気の流出を抑制し、且つ断熱機能を効果的に発揮することが可能になる。
【００２３】
また、本実施形態の壁設置型断熱ポスト１０によれば、図４に示すように、木造住宅建築物の玄関部分の外壁を構成する断熱壁１１に隣接して設けられた、玄関収納３６の内部に配置した状態で取り付けることも容易であり、これによって玄関周りの意匠性を向上させることが可能なる。
【００２４】
なお、本発明は上記実施形態に限定されることなく種々の変更が可能である。例えば、取出し開口を断熱複層ガラスによってスライド開閉可能に覆う必要は必ずしも無く、断熱シーリングを周縁部に介在させて、開き戸形式で開閉可能に覆うようにすることもできる。また、断熱複層ガラス以外のその他の断熱プレート部材によって、取出し開口を開閉可能に覆うようにすることもできる。さらに、水切りプレート、排水溝、水抜き開口、庇部等を設ける必要は必ずしもなく、投函口開閉蓋は内側に回動して投函口を開閉するものであっても良い。
【図面の簡単な説明】
【００２５】
【図１】（ａ）は本発明の好ましい一実施形態に係る壁設置型断熱ポストの取り付け状態を示す断面図、（ｂ）は（ａ）のＡ部拡大図である。
【図２】本発明の好ましい一実施形態に係る壁設置型断熱ポストの分解斜視図である。
【図３】水切りプレートを取り除いた状態で示す、図２のＢ−Ｂに沿った断面図である。
【図４】壁設置型断熱ポストを玄関収納の内部に配置して取り付けた状態を示す略示斜視図である。
【符号の説明】
【００２６】
１０  壁設置型断熱ポスト
１１  断熱壁
１２  断熱プレート
１３  投函口用貫通穴
１４  壁側箱体
１４ａ  壁側箱体の屋内側の端部
１５  矩形接合開口
１６ａ，１６ｂ  取出し開口
１７  屋内側箱体
１７ａ  前面板
１７ｂ  背面板
１７ｃ  側面板
１７ｄ  底面板
１８  断熱気密パッキン
１９  耐力面材
２０  断熱材
２１  断熱壁パネル
２４  投函口開閉蓋
２７  断熱複層ガラス
２８  弾性可撓板
２９  空気層
３０  水切りプレート
３１  排水溝
３２  水抜き開口
３３  水抜き栓
３６  玄関収納
【図１】
2006181182.tif 000003
【図２】
2006181182.tif 000004
【図３】
2006181182.tif 000005
【図４】
2006181182.tif 000006